(57)【要約】【課題】ドレン中和器は、その配設スペースの幅や燃焼装置の下側の高さスペースが小さくても長期にわたってドレンを中和可能とする。【解決手段】ドレン導入部１２から導入されるドレンをドレン貯留室１４で貯留して中和し、ドレン排出部１３から排出する。ドレン貯留室１４は仕切り壁１１によって排気の水封室９と排水室１０とに仕切り、下端側で水封室９と排水室１０を連通する。ドレン貯留室１４には固形の中和剤７を充填し、ドレン導入部１２とドレン排出部１３よりも高く上方に伸設された高位位置に設けられた伸設領域をドレン非通過領域１９と成し、ドレン導入部１２とドレン排出部１３よりも下側のドレン貯留室１４をドレン通過領域１８と成す。ドレンの通過領域１８を通ってドレンが中和されることによりドレン通過領域１８内の中和剤７が減少すると、ドレン非通過領域１９内の中和剤７がドレン通過領域１８内に自然落下して補填される構成と成す。【選択図】図２
2008180463.tif 000002
【特許請求の範囲】
【請求項１】
バーナの排気潜熱を回収する潜熱回収用熱交換器で発生するドレンを中和するドレン中和器であって、前記ドレンを貯留して該ドレンを中和するドレン貯留室と、該ドレン貯留室の一方側の側部がわに設けられて該ドレン貯留室にドレンを導入するドレン導入部と、前記ドレン貯留室の前記ドレン導入部と反対側となる他方側の側部がわに設けられて該ドレン貯留室を通ったドレンを外部に排水するドレン排出部とを有し、前記ドレン貯留室には固形の中和剤が充填されており、前記ドレン貯留室は前記ドレン導入部と前記ドレン排出部よりも高く上方に伸設された高位位置に設けられて該伸設領域をドレン非通過領域と成し、前記ドレン導入部と前記ドレン排出部よりも下側のドレン貯留室をドレン通過領域と成し、該ドレンの通過領域を通って前記ドレンが中和されることにより前記ドレン通過領域内の中和剤が減少すると前記ドレン非通過領域内の中和剤が前記ドレン通過領域内に自然落下して補填される構成と成していることを特徴とするドレン中和器。
【請求項２】
ドレン貯留室には該ドレン貯留室の上端から下端側に向けて伸設されて前記ドレン貯留室をドレン導入部側の水封室とドレン排出部側の排水室とに仕切る仕切り壁が設けられ、該仕切り壁の下端側には前記水封室と前記排水室とを連通する連通部が設けられており、前記水封室は前記ドレン導入部からドレンと共にドレン貯留室側に流れてくる排気をドレンによって水封して前記ドレン排出部側に流れることを防ぐ排気の水封室と成し、前記排水室のドレン非通過領域には、前記ドレン排出部を浴室排水口に導いたときに該浴室排水口の冠水により前記ドレン排出部が水封されても前記ドレンが前記ドレン貯留室からドレン導入部側に逆流することを防ぐ空気抜き穴が設けられていることを特徴とする請求項１記載のドレン中和器。
【請求項３】
ドレン導入部配設部位近傍のドレン貯留室の側壁とドレン排出部配設部位近傍のドレン貯留室の側壁はいずれも内側に凹む凹壁部と成して、前記ドレン貯留室は前記ドレン導入部配設部位近傍とドレン排出部配設部位近傍の幅がその上側領域の幅よりも小さく形成され、前記ドレン導入部配設部位近傍の凹壁部は中和剤のドレン導入部への落下を防ぐ壁部と成し、前記ドレン排出部配設部位近傍の凹壁部は中和剤のドレン排出部への落下を防ぐ壁部と成していることを特徴とする請求項１または請求項２記載のドレン中和器。
【請求項４】
ドレン導入部とドレン貯留室との連通部位とドレン排出部と前記ドレン貯留室との連通部位は、ドレンは通過できるが中和剤は通れないように狭く形成されていることを特徴とする請求項１または請求項２または請求項３記載のドレン中和器。
【請求項５】
ドレン導入部とドレン貯留室との連通部位に、ドレンは通過できるが中和剤は通れない広さの中和剤非充填ドレン通過領域が設けられていることを特徴とする請求項１乃至請求項４のいずれか一つに記載のドレン中和器。
【請求項６】
浴室壁には壁穴が形成され、該壁穴には潜熱回収用熱交換器を備えた燃焼装置が設置されており、該燃焼装置の前面側を塞ぐ態様で浴槽が前記燃焼装置に近接して配置されており、前記浴槽と浴室壁面とにより形成されるデットスペースに請求項１乃至請求項５のいずれか一つに記載のドレン中和器が前記燃焼装置と近接して設けられており、前記ドレン中和器のドレン貯留室の下端面は浴室底面と非接触間隔を介して配置されていることを特徴とするドレン中和器を用いた浴室構造。
【発明の詳細な説明】
【技術分野】
【０００１】
本発明は、潜熱回収用熱交換器で発生するドレンを中和するドレン中和器とそのドレン中和器を用いた浴室構造に関するものである。
【背景技術】
【０００２】
浴室の構造には様々なものがあるが、その代表例として、例えば図５に示すような浴室がある。このような浴室３０は、比較的古いタイプの浴室であり、浴室３０とその外側（例えば洗面所側や廊下側）とは浴室のドア２１により仕切られ、浴室３０が、その外側よりも、例えば１５０ｍｍ程度低く形成されていることにより、浴室３０内の湯水が居室等に入らないように形成されている。なお、図中、符号２６は、浴槽を示している。
【０００３】
このような比較的古いタイプにおいて、浴槽２６内の湯水の加熱には、例えば図６（ａ）に示すように、バランス風呂釜５０等の燃焼装置が用いられ、浴室３０の外壁３９に形成された壁穴２２に、バランス風呂釜５０の給排気筒４９が設置されている。壁穴２２は、鉄筋コンクリートに塗装した浴室３０においては、例えばバランス風呂釜５０の釜台（台座）４５の上端から壁穴２２の開口中心までの高さが４６６ｍｍとなるように形成されている。また、図６（ｂ）に示すように、ユニットバスの浴室３０においては、バランス風呂釜５０が高さ２０ｍｍの防熱板５１（図６（ｃ）、参照）の上に設けられることから、例えば浴室底面から壁穴２２の開口中心までの高さが４８６ｍｍとなるように形成されている（例えば、特許文献１、参照。）。
【０００４】
【特許文献１】特開平１０−３００２４１号公報
【発明の開示】
【発明が解決しようとする課題】
【０００５】
ところで、近年、住宅のバリアフリー化が進み、上記のように、浴室内外で段差がある構造を、改築により段差がない構造にすることが試みられている。また、風呂釜や給湯器等の燃焼装置は、その寿命が住宅の寿命よりも短いために買い換えることが行われるが、その場合、潜熱回収用熱交換器を備えた、より効率の高い燃焼装置を適用することが多くなってきている。このような効率の高い燃焼装置を適用すると、環境問題やエネルギー問題を少しでも緩和できるという利点がある。
【０００６】
そこで、例えば浴室３０において、バランス風呂釜５０の給排気筒４９の代わりに、例えば図４（ａ）、（ｂ）に示すように、浴室３０の壁穴２２に、潜熱回収用熱交換器を備えた自動湯張り機能付きの給湯器１７等の燃焼装置を設置することが考えられ、このようにすると、燃焼効率を高くできるというメリットと、バランス風呂釜５０の配設スペースの分だけ浴槽２６を広くできるメリットとの両方を活かすことができる。
【０００７】
しかしながら、潜熱回収用熱交換器を備えた燃焼装置においては、該潜熱回収用熱交換器で発生するドレン（凝縮水の水滴）を回収し、燃焼装置のケース外部に排出しなければならない。例えばマンション等の集合住宅等では、浴室３０の外壁がベランダ等の共有部分に面していることが多く、液状のドレンを燃焼装置のケースの下部側に流出させてベランダ等に流出させると、利用者は非常に不快な思いをすることになる。そこで、例えば図３に示すように、ドレン中和器３を浴室３０内に配置し、給湯器１７等の燃焼装置から流出するドレンを、ドレンの中和剤入りのドレン中和器３を介して浴室３０の排水口（浴室排水口１５）に導くことが考えられる。
【０００８】
しかしながら、図４（ａ）、（ｂ）に示す浴槽２６と給湯器１７との配置構成（浴槽２６の短辺側に給湯器１７が配置される構成）においては、Ｂに示す領域にシャワー４１やカランの配管が配設されることが多いので、ドレン中和器３を設けることが可能な浴室内配設スペースは、同図のＣに示すような、例えばその幅が２０ｃｍ程度の狭いスペースである。また、前記バリアフリー化により、浴室底面を、図５に示した段差分だけ、例えば１５０ｍｍ程度高くして浴室内外で段差がない構造にすると、燃焼装置の下面から浴室底面までの高さスペースが小さくなってしまう。そのため、燃焼装置を長期に渡って利用する間に発生するドレンを中和できるだけの中和剤を収容可能なドレン中和器３を設けることが困難になるといった問題が生じる。
【０００９】
本発明は、上記課題を解決するために成されたものであり、その目的は、たとえドレン中和器の浴室内配設スペースの幅や燃焼装置の下面から浴室底面までの高さスペースが小さくても、燃焼装置が使用される間の長期にわたってドレンを中和可能なドレン中和器とそのドレン中和器を用いた浴室構造を提供することにある。
【課題を解決するための手段】
【００１０】
上記目的を達成するために、本発明は次のような構成をもって課題を解決するための手段としている。すなわち、本発明のドレン中和器は、バーナの排気潜熱を回収する潜熱回収用熱交換器で発生するドレンを中和するドレン中和器であって、前記ドレンを貯留して該ドレンを中和するドレン貯留室と、該ドレン貯留室の一方側の側部がわに設けられて該ドレン貯留室にドレンを導入するドレン導入部と、前記ドレン貯留室の前記ドレン導入部と反対側となる他方側の側部がわに設けられて該ドレン貯留室を通ったドレンを外部に排水するドレン排出部とを有し、前記ドレン貯留室には固形の中和剤が充填されており、前記ドレン貯留室は前記ドレン導入部と前記ドレン排出部よりも高く上方に伸設された高位位置に設けられて該伸設領域をドレン非通過領域と成し、前記ドレン導入部と前記ドレン排出部よりも下側のドレン貯留室をドレン通過領域と成し、該ドレンの通過領域を通って前記ドレンが中和されることにより前記ドレン通過領域内の中和剤が減少すると前記ドレン非通過領域内の中和剤が前記ドレン通過領域内に自然落下して補填される構成と成している構成をもって課題を解決する手段としている。
【００１１】
また、第２の発明のドレン中和器は、前記第１の発明の構成に加え、前記ドレン貯留室には該ドレン貯留室の上端から下端側に向けて伸設されて前記ドレン貯留室をドレン導入部側の水封室とドレン排出部側の排水室とに仕切る仕切り壁が設けられ、該仕切り壁の下端側には前記水封室と前記排水室とを連通する連通部が設けられており、前記水封室は前記ドレン導入部からドレンと共にドレン貯留室側に流れてくる排気をドレンによって水封して前記ドレン排出部側に流れることを防ぐ排気の水封室と成し、前記排水室のドレン非通過領域には、前記ドレン排出部を浴室排水口に導いたときに該浴室排水口の冠水により前記ドレン排出部が水封されても前記ドレンが前記ドレン貯留室からドレン導入部側に逆流することを防ぐ空気抜き穴が設けられていることを特徴とする。
【００１２】
さらに、第３の発明のドレン中和器は、前記第１または第２の発明の構成に加え、前記ドレン導入部配設部位近傍のドレン貯留室の側壁とドレン排出部配設部位近傍のドレン貯留室の側壁はいずれも内側に凹む凹壁部と成して、前記ドレン貯留室は前記ドレン導入部配設部位近傍とドレン排出部配設部位近傍の幅がその上側領域の幅よりも小さく形成され、前記ドレン導入部配設部位近傍の凹壁部は中和剤のドレン導入部への落下を防ぐ壁部と成し、前記ドレン排出部配設部位近傍の凹壁部は中和剤のドレン排出部への落下を防ぐ壁部と成していることを特徴とする。
【００１３】
さらに、第４の発明のドレン中和器は、前記第１または第２または第３の発明の構成に加え、前記ドレン導入部とドレン貯留室との連通部位とドレン排出部と前記ドレン貯留室との連通部位は、ドレンは通過できるが中和剤は通れないように狭く形成されていることを特徴とする。
【００１４】
さらに、第５の発明のドレン中和器は、前記第１乃至第４のいずれか一つの発明の構成に加え、前記ドレン導入部とドレン貯留室との連通部位に、ドレンは通過できるが中和剤は通れない広さの中和剤非充填ドレン通過領域が設けられていることを特徴とする。
【００１５】
さらに、第６の発明の浴室構造は、浴室壁には壁穴が形成され、該壁穴には潜熱回収用熱交換器を備えた燃焼装置が設置されており、該燃焼装置の前面側を塞ぐ態様で浴槽が前記燃焼装置に近接して配置されており、前記浴槽と浴室壁面とにより形成されるデットスペースに前記第１乃至第５のいずれか一つの発明のドレン中和器が前記燃焼装置と近接して設けられており、前記ドレン中和器のドレン貯留室の下端面は浴室底面と非接触間隔を介して配置されていることを特徴とする。
【発明の効果】
【００１６】
本発明のドレン中和器は、燃焼装置の潜熱回収用熱交換器で発生するドレンを貯留して該ドレンを中和するドレン貯留室が、ドレンの導入部とドレンの排出部よりも高く上方に伸設された高位位置に設けられており、該伸設領域がドレン非通過領域と成し、ドレンの導入部とドレンの排出部よりも下側のドレン貯留室はドレン通過領域と成している。このように、ドレン貯留室がドレン非通過領域とドレン通過領域とを有することから、例えばドレン中和器を縦長に形成し、ドレン通過領域が燃焼装置の下面よりも下側に配置されるようにすれば、たとえ燃焼装置の下面から浴室底面までの高さスペースが小さくてもドレン中和器を浴室内に無理なく配設することができ、かつ、ドレンの中和は可能となる。
【００１７】
また、本発明のドレン中和器は、前記ドレン貯留室に固形の中和剤が充填されており、前記ドレンの通過領域を通って前記ドレンが中和されることによりドレン通過領域内の中和剤が減少すると、前記ドレン非通過領域内の中和剤が前記ドレン通過領域内に自然落下して補填される構成と成しているので、本発明のドレン中和器は、たとえドレン中和器の浴室内配設スペースの幅や燃焼装置の下面から浴室底面までの高さスペースが小さくて、ドレン通過領域の容積が大きくとれなくても、ドレン中和により中和剤が使われて減少したときに、ドレン非通過領域内の中和剤により補うことができ、燃焼装置が使用される間の長期にわたってドレンを中和することができる。
【００１８】
また、本発明のドレン中和器において、ドレン貯留室が仕切り壁によってドレン導入部側の排気の水封室とドレン排出部側の排水室とに仕切られ、排水室と水封室とは仕切り壁の下端側の連通部により連通され、排水室のドレン非通過領域には浴室排水口の冠水により前記ドレン排出部が水封されたときに前記ドレンが前記ドレン貯留室からドレン導入部側に逆流することを防ぐ空気抜き穴が設けられているものにおいては、ドレン中和器のドレン排出部を浴室排水口に接続する構成としたときに、浴室排水口の冠水によりドレン排出部が水封されても、空気抜き穴によってドレン貯留室内の空気を外部に逃がすことができるので、排水室が気密状態にはならず、ドレンをドレン排出部から排出でき、ドレンがドレン貯留室からドレン導入部側に逆流することを防ぐことができる。
【００１９】
つまり、この構成のドレン中和器は、ドレンのドレン導入部側への逆流の危惧はなく、燃焼装置の潜熱回収用熱交換器で発生するドレンを適宜中和して、中和されたドレンをドレン排出口から排出でき、例えば浴室排水口に導くことができる。
【００２０】
さらに、本発明のドレン中和器において、ドレン導入部配設部位近傍のドレン貯留室の側壁とドレン排出部配設部位近傍のドレン貯留室の側壁はいずれも内側に凹む凹壁部と成して、ドレン導入部配設部位近傍の凹壁部は中和剤のドレン導入部への落下を防ぐ壁部と成し、前記ドレン排出部配設部位近傍の凹壁部は中和剤のドレン排出部への落下を防ぐ壁部と成しているものにおいては、中和剤がドレン導入部やドレン排出部に落下することを防げるので、ドレン中和剤がドレン導入部やドレン排出部に詰まったり、無駄になったりすることを防ぐことができる。
【００２１】
さらに、本発明のドレン中和器において、ドレン導入部とドレン貯留室との連通部位とドレン排出部と前記ドレン貯留室との連通部位は、ドレンは通過できるが中和剤は通れないように狭く形成されているものにおいては、ドレン導入部やドレン排出部に、中和剤やゴミが詰まったりすることを防ぐことができ、ドレンの導入や排出をよりスムーズに行うことができる。
【００２２】
さらに、本発明のドレン中和器においてドレン導入部とドレン貯留室との連通部位に、ドレンは通過できるが中和剤は通れない広さの中和剤非充填ドレン通過領域が設けられているものにおいては、ドレン導入部から導入されるドレンを、中和剤非充填ドレン通過領域を通してドレン貯留室に導入することにより、ドレンをよりスムーズにドレン貯留室に導くことができる。
【００２３】
さらに、本発明の浴室構造によれば、本発明のドレン中和器を適用することにより、浴室の壁穴に設置された燃焼装置の前面側を塞ぐ態様で燃焼装置に近接して配置される浴槽と浴室壁面とにより形成されるデットスペースに、燃焼装置と近接してドレン中和器を配置でき、例えば燃焼装置の買い換え等により、浴室の壁穴に潜熱回収用熱交換器付きの燃焼装置を配置し、デットスペースにドレン中和器を配置して、燃焼装置による燃焼効率の良好な燃焼とドレンの適切な中和および排出とを両立できる。
【発明を実施するための最良の形態】
【００２４】
以下、本発明の実施の形態を、図面を参照して説明する。なお、本実施形態例の説明において、これまでの説明に示した例と同一名称部分には同一符号を付し、その重複説明は省略又は簡略化する。
【００２５】
図１（ａ）、（ｂ）には、本発明に係るドレン中和器の一実施形態例の構成が浴室３０に配置された状態で示されており、図２には、ドレン中和器３の拡大図が示されている。このドレン中和器３は、燃焼装置（ここでは給湯器１７）の潜熱回収用熱交換器で発生するドレンを中和するドレン中和器である。給湯器１７は浴室３０の壁穴２２に配置されており、給湯器１７の前面側を塞ぐ態様で、浴槽２６が給湯器１７に近接して配置されている。浴槽２６と浴室壁面３１とにより形成される、例えば幅Ｗが２０ｃｍ程度のデットスペースＣに、本実施形態例のドレン中和器３が給湯器１７と近接して設けられ、固定部２７で浴室壁面３１にねじ止めされており、ドレン中和器３の下端面は、浴室底面と非接触間隔Ｕを介して配置されている。
【００２６】
本実施形態例のドレン中和器３を接続する燃焼装置として、様々な構成のものを適用できるが、ここでは、その一例の給湯器１７について、図１（ｂ）に基づいて簡単に説明する。なお、この図は、給湯器１７の配管構成を省略して模式的に示している。この給湯器１７は、横方向の長さが縦方向に長さよりも大きく形成されており、器具ケース４０内には燃焼室２０が設けられている。燃焼室２０内には、バーナ１と、バーナ１の上側に配置されてバーナ１の燃焼ガス中の顕熱を回収するメインの熱交換器（一次熱交換器）４と、このメインの熱交換器４よりも前記燃焼ガスの流れの下流側に位置をずらして並設配置された潜熱回収用熱交換器（二次熱交換器）６とが設けられている。潜熱回収用熱交換器６は、燃焼ガスの顕熱および潜熱を回収する。
【００２７】
また、バーナ１の燃焼の給排気を行なう燃焼ファン５が設けられており、前記バーナ１にはバーナ１に燃料を供給するガス管（図示せず）が接続されている。この給湯器１７は、燃焼ファン５の回転によって外部より吸気する空気を、図の矢印に示すように、送風室２５を介してバーナ１に送り、この空気と、前記ガス管を通って供給されるガスとによってバーナ燃焼を行う。このバーナ燃焼により生じた燃焼ガスは、燃焼ファン５の回転によって、燃焼室２０から排気口８側に送って排気される。
【００２８】
水供給源からの水が潜熱回収用熱交換器６に導かれ、この水が、潜熱回収用熱交換器６とメインの熱交換器４を順に通して加熱され、メインの熱交換器４の出口側に接続された給湯管（図示せず）を通して浴室３０内のシャワー４１の出湯口や台所等に導かれて給湯される。また、給湯管に浴槽２６への注湯通路を接続することにより、浴槽２６への自動湯張りが可能となり、追い焚き回路を設けることにより、浴槽湯水の追い焚きも可能となる。なお、バーナ１の燃焼と、燃焼ファン５の回転は、予め与えられたシーケンスプログラムにしたがって制御されるものであり、前記給湯や自動湯張り、追い焚き等の各動作については、周知であり、その説明は省略する。
【００２９】
前記潜熱回収用熱交換器６による燃焼ガスの潜熱回収は、水蒸気を含んだ燃焼ガスを飽和温度以下の低温伝熱面に接触させて燃焼ガス中の水蒸気を凝縮させることにより行われる。すなわち、水蒸気が凝縮する際に発生する凝縮潜熱を回収するものであり、通常は、燃焼ガスとして給湯器１７等の燃焼系の外に排出されてしまう燃焼ガスの水蒸気の持つエンタルピーを回収するものである。
【００３０】
このように、潜熱回収用熱交換器６を備えた給湯器においては、バーナ１の燃焼による燃焼ガスが潜熱回収用熱交換器６を通るときに、潜熱回収用熱交換器６内の水管を通る水が、燃焼ガス中の水蒸気が保有している潜熱を奪って（潜熱を回収して）温度を高め、さらにメインの熱交換器４を通るときに、バーナ１の燃焼火力でもって加熱されて設定温度の湯が作り出されるので、バーナ１によって効率の良い加熱（例えば給湯器において、高位発熱量（総発熱量）ベースで熱効率が約９０％以上となる加熱）ができる。
【００３１】
潜熱回収用熱交換器６で発生するドレン（凝縮水の水滴）は、例えば受け皿４３にたまり、ドレン管４４を介して器具ケース４０の外部に排出されて本実施形態例のドレン中和器３に導入される。
【００３２】
ドレン中和器３は、ポリプロピレン等の樹脂により形成され、前記ドレンを貯留して該ドレンを中和するドレン貯留室１４を有している。ドレン貯留室１４の下端面は、給湯器１７の下端面より２０ｃｍ程度下側に位置し（図１（ｂ）のＨが２０ｃｍ程度であり）、この下端面が浴室底面と非接触間隔Ｕを介して配置されており、ドレン貯留室１４の奥行き（図１（ｂ）のＤ）は、例えば４ｃｍ程度に形成されている。
【００３３】
ドレン貯留室１４の一方側の側部がわには、ドレン貯留室１４にドレンを導入するドレン導入部１２が設けられており、ドレン導入部１２は横向きに突出形成されている。また、ドレン貯留室１４のドレン導入部１２と反対側となる他方側の側部がわには、ドレン貯留室１４を通ったドレンを外部に排水するドレン排出部１３が、その先端側を下向きにして設けられている。ドレン導入部１２とドレン排出部１３は、共に、給湯器１７の下面よりも下側に配置されており、ドレン導入部１２の先端側とドレン排出部１３の先端側との落差は約９ｃｍと小さく形成されている。
【００３４】
図２の断面部分（図の左上端部）に示すように、ドレン貯留室１４には複数の固形の中和剤７が互いに隙間を介して充填されている。ドレンは、燃焼ガス中の窒素酸化物（ＮＯｘ）、硫黄酸化物（ＳＯｘ）等を含むため、ｐＨ２〜４の強酸性であるので、中和剤をドレンに混ぜて中和することが必要となる。本実施形態例では、炭酸カルシウムを粒状にしたものを中和剤７として適用しており、ドレンは、炭酸カルシウムと反応することで中性を示す硝酸カルシウムとなる。
【００３５】
ドレン貯留室１４は、前記ドレン導入部１２と前記ドレン排出部１３よりも高く上方に伸設された高位位置に設けられており、この該伸設領域をドレン非通過領域１９と成している。また、ドレン貯留室１４は、ドレン導入部１２とドレン排出部１３よりも下側のドレン貯留室１４をドレン通過領域１８と成している。そして、このドレン通過領域１８を通って前記ドレンが中和されることにより、ドレン通過領域１８内の中和剤７が減少すると、前記ドレン非通過領域１９内の中和剤７が前記ドレン通過領域１８内に自然落下して補填される構成と成している。
【００３６】
また、ドレン貯留室１４には該ドレン貯留室１４の上端から下端側に向けて伸設されて前記ドレン貯留室１４をドレン導入部１２側の水封室９とドレン排出部１３側の排水室１０とに仕切る仕切り壁１１が設けられ、該仕切り壁１１の下端側には前記水封室９と前記排水室１０とを連通する連通部１６が設けられている。前記水封室９は、ドレン導入部１２からドレンと共にドレン貯留室１４側に流れてくる排気をドレンによって水封して前記ドレン排出部１３側に流れることを防ぐ排気の水封室と成している。
【００３７】
なお、ドレンは、ドレン排出部１３から浴室３０内に流出させて排出してもよいが、本実施形態例では、ドレン排出部１３から排出するドレンを、図１に示すように、管路２９を介して浴室排水口１５に導くようにしている。そして、前記排水室１０のドレン非通過領域１９に、浴室排水口１５の冠水により前記ドレン排出部１３が水封されたときでも、前記ドレンが前記ドレン貯留室１４の水封室９側からドレン導入部１２側に逆流することを防ぐ、空気抜き穴２３を設けている。この空気抜き穴２３近傍には凹壁部４２が設けられており、この凹壁部４２は、中和剤７の空気抜き穴２３への落下を防ぐ壁部と成している。
【００３８】
また、ドレン導入部１２の配設部位近傍のドレン貯留室１４の側壁と、ドレン排出部１３の配設部位近傍のドレン貯留室の側壁は、いずれも内側に凹む凹壁部３２，３３と成して、ドレン貯留室１４は、前記ドレン導入部１２の配設部位近傍とドレン排出部１３の配設部位近傍の幅がその上側領域の幅よりも小さく形成されている。ドレン導入部１２の配設部位近傍の凹壁部３２は、中和剤７のドレン導入部１２への落下を防ぐ壁部と成し、ドレン排出部１３の配設部位近傍の凹壁部３３は、中和剤７のドレン排出部１３への落下を防ぐ壁部と成している。
【００３９】
さらに、本実施形態例では、ドレン導入部１２とドレン貯留室１４との連通部位３４と、ドレン排出部１３とドレン貯留室１４との連通部位３５は、共に、ドレンは通過できるが中和剤７は通れないように狭く形成されている。この狭く形成された部分の長さは１０ｃｍ程度で長めであり、それにより、ドレン導入部１２とドレン排出部１３側への中和剤７の落下や、ゴミの詰まりを充分に防ぐ構成と成している。
【００４０】
また、ドレン導入部１２とドレン貯留室１４との連通部位には、ドレンは通過できるが中和剤７は通れない広さの中和剤非充填ドレン通過領域２８が設けられており、この中和剤非充填ドレン通過領域２８も、長手方向の長さが１０ｃｍ程度に縦長に形成されている。なお、図２の図中、３８は、中和剤７を詰めるときの入口部である。
【００４１】
本実施形態例は以上のように構成されており、ドレン中和器３の幅は約２０ｃｍ弱であり、給湯器１７の下面からドレン中和器３の下面までの長さも２０ｃｍ程度であるので、ドレン中和器３の配設スペースの幅や給湯器１７の下面から浴室底面までの高さスペースが小さくても、ドレン中和器３を配設できる。
【００４２】
なお、本実施形態例では、給湯器１７の下面より下側にドレン導入部１２とドレン排出部１３とを設けて、これらより下側をドレン通過領域１８と成しているので、ドレン通過領域１８の高さも２０ｃｍ程度であるが、このドレン通過領域１８の容積は、ドレンが中和剤７と接触して中和されるのに必要な、最低限の容積と成しており、ドレン通過領域１８を通してのドレンの中和は適切に行われる。
【００４３】
また、本実施形態例において、ドレンがドレン中和器３のドレン導入部１２からドレン中和器３に導入されると、図２の破線部に示すように、中和剤非充填ドレン通過領域２８を通ってドレン貯留室１４の水封室９側のドレン通過領域１８に入り、連通部１９を通って排水室１０のドレン通過領域１８に導入され、ドレン排出部１３から排出されるが、ドレンがドレン通過領域１８を通ることで中和剤７による中和が行われて、ドレン通過領域１８内の中和剤７が減少すると、前記ドレン非通過領域１９内の中和剤７が前記ドレン通過領域１８内に自然落下して補填される。
【００４４】
つまり、本実施形態例において、ドレン貯留室１４のドレン通過領域１８の容積は、大きくないが、このドレン通過領域１８の上側のドレン非通過領域１９にも中和剤７が充填されており、ドレン通過領域１８の中和剤７が減少すると、ドレン非通過領域１９側からの中和剤７の自然落下により中和剤７が補填されるので、ドレン通過領域１８を通るドレンは、給湯器１７が使用される間の長期にわたって適切に中和されて排出される。
【００４５】
また、本実施形態例では、ドレン導入部１２とドレン貯留室１４との連通部位３４と、ドレン排出部１３とドレン貯留室１４との連通部位３５を、ドレンは通過できるが中和剤７は通れないように狭く形成し、さらに、凹壁部３２，３３や中和剤非充填ドレン通過領域２８を設けているので、ドレン非通過領域１９側からドレン通過領域１８側に自然落下する中和剤７がドレン導入部１２やドレン排出部１３に詰まってしまったり、ドレン導入部１２やドレン排出部１３にゴミが詰まってしまったりすることを防ぐことができ、ドレンの貯留と通過をスムーズに行うことができる。
【００４６】
なお、本発明は上記実施形態例に限定されることはなく、様々な態様を採り得る。例えば、上記実施形態例では、空気抜き穴２３を排水室１０の側部上側に形成したが、図２の破線Ａに示す位置等の、排水室１０の上端側に形成してもよく、空気抜き穴２３の形成箇所は適宜設定されるものである。
【００４７】
また、上記実施形態例では、ドレン導入部１２の配設部位近傍のドレン貯留室１４の側壁と、ドレン排出部１３の配設部位近傍のドレン貯留室の側壁はいずれも内側に凹む凹壁部３２，３３と成して、ドレン貯留室１４は前記ドレン導入部１２の配設部位近傍とドレン排出部１３の配設部位近傍の幅がその上側領域の幅よりも小さく形成したが、凹壁部３２，３３は省略することもできる。
【００４８】
さらに、上記実施形態例では、ドレン導入部１２とドレン貯留室１４との連通部位３４と、ドレン排出部１３とドレン貯留室１４との連通部位３５が、ドレンは通過できるが中和剤７は通れないように狭く形成されていたが、連通部位３４，３５は必ずしも狭く形成しなくてもよく、例えば連通部位３４，３５にフィルタ等を介設することもできる。ただし、フィルタ等を設ける場合には、その交換等のメンテナンスが必要となる可能性があるので、フィルタ等を設けるよりも、上記狭い領域を形成する方が好ましい。
【００４９】
さらに、上記実施形態例では、ドレン導入部１２とドレン貯留室１４との連通部位には、ドレンは通過できるが中和剤７は通れない広さの中和剤非充填ドレン通過領域２８を設けたが、この中和剤非充填ドレン通過領域２８は省略することもできる。
【００５０】
さらに、ドレン中和器３は、ドレン導入部１２とドレン排出部１３と、これらよりも高く上方に伸設された高位位置に設けられた伸設領域を有するドレン貯留室１４とを有するように、その大きさや形状は適宜設定されるものであり、例えば図２の鎖線Ｄに示すように、ドレン貯留室１４の前記伸設領域より下側に形成されるドレン通過領域１８を横長の形状にすることもできる。このようにすると、燃焼装置の下面から浴室底面までの高さスペースが、より一層小さい場合でも対応できる。
【００５１】
さらに、上記実施形態例では、ドレン貯留室１４は仕切り壁１１によって、排気の水封室９とドレンの排水室１０とに区切られていたが、例えば燃焼装置側に排気の水封構成が設けられていれば、仕切り壁１１を省略した形態とすることもできる。
【００５２】
さらに、上記説明は、ドレン中和器３を接続する燃焼装置として、給湯器１７について説明したが、ドレン中和器３を接続する燃焼装置は給湯器とは限らず、風呂釜や、給湯器と風呂釜の両方の機能を備えた複合給湯器等、適宜の燃焼装置にドレン中和器３を接続することができる。
【００５３】
さらに、本発明のドレン中和器は、燃焼装置内に組み込んで設けることもできる。
【図面の簡単な説明】
【００５４】
【図１】本発明に係るドレン中和器の一実施形態例を浴室への配置状態で模式的に示す説明図である。
【図２】上記実施形態例のドレン中和器を模式的に示す説明図である。
【図３】燃焼装置にドレン中和器を接続して浴室内に配置する構成を説明するための模式図である。
【図４】浴室配置のドレン中和器の配置位置の制限を説明するための模式的な平面図である。
【図５】浴室底面がその外側よりも低く形成されているタイプの浴室構造を説明するための模式的な断面図である。
【図６】風呂設置スペースにバランス風呂釜と浴槽とを並設した浴室構造を説明するための模式的な断面図（ａ）、（ｂ）と防熱板の斜視図（ｃ）である。
【符号の説明】
【００５５】
１  バーナ
３  ドレン中和器
４  メインの熱交換器
５  燃焼ファン
６  潜熱回収用熱交換器
７  中和剤
９  水封室
１０  排水室
１１  仕切り壁
１２  ドレン導入部
１３  ドレン排出部
１４  ドレン貯留室
１５  浴室排水口
１６  連通部
１７  給湯器
１８  ドレン通過領域
１９  ドレン非通過領域
２２  壁穴
２３  空気抜き穴
２８  中和剤非充填ドレン通過領域
３０  浴室
３１  浴室壁面
３２，３３  凹壁部
【図１】
2008180463.tif 000003
【図２】
2008180463.tif 000004
【図３】
2008180463.tif 000005
【図４】
2008180463.tif 000006
【図５】
2008180463.tif 000007
【図６】
2008180463.tif 000008